(57)【要約】【課題】  遊技者の意思に基づく搬送装置の作動に、よりきめ細やかに対応可能であり、操作もし易い駆動開始スイッチを有する台間機用遊技メダルの一括投入機構を提供を提供すること。【解決手段】  投入開口(31)の少なくとも前方に略水平方向に張り出す張り出し部(31A)を設け、少なくとも前記張り出し部(321A)に、前記駆動装置(55)の駆動停止中に接触することにより駆動装置(55)が駆動開始する接触センサ(71)を設けた。    【選択図】    図４
2006000368.tif 000002
【特許請求の範囲】
【請求項１】
遊技メダルの投入口を有する遊技機に隣接して設置される遊技機用台間機に設けられ、
一括投入される複数枚の遊技メダルを受け入れ可能な投入開口と、
この投入開口の下方に設けられ、遊技メダルを貯留可能なメダル貯め部と、
遊技メダルを隣接する遊技機のメダル投入口に移送するための移送部材と、
駆動装置により作動し、前記メダル貯め部に貯留された遊技メダルを、前記移送部材に一枚ずつ送り出す搬送装置とを少なくとも備えた遊技メダルの一括投入機構において、
前記投入開口の少なくとも前方に略水平方向に張り出す張り出し部を設け、
少なくとも前記張り出し部に、前記駆動装置の駆動停止中に接触することにより駆動装置が駆動開始する接触センサを設けたことを特徴とする台間機用遊技メダルの一括投入機構。
【請求項２】
貸し出しメダル払い出し装置を少なくとも有するメダル貸出機に設けられ、
前記貸し出しメダル払い出し装置から払い出される遊技メダルを前記メダル貯め部に移送可能に形成されているとともに、
前記貸し出しメダル払い出し装置から遊技メダルが払い出された場合には、前記駆動装置が駆動を開始するように形成されていることを特徴とする請求項１記載の台間機用遊技メダルの一括投入機構。
【請求項３】
前記駆動装置は、駆動開始後、所定時間の経過により駆動停止することを特徴とする請求項１又は２記載の台間機用遊技メダルの一括投入機構。
【請求項４】
前記駆動装置は、駆動中における接触センサへの接触により駆動停止することを特徴とする請求項１乃至３のいずれか１項に記載の台間機用遊技メダルの一括投入機構。
【発明の詳細な説明】
【技術分野】
【０００１】
この発明は、スロットマシンなどのメダル遊技機に隣接して設置される遊技機用台間機に用いられる、遊技メダルを一括投入するための一括投入機構に関するものである。
【背景技術】
【０００２】
従来より、スロットマシンなどのメダルを遊技媒体とする遊技機において、効率の良い遊技を行いたいという要請、あるいは、なるべく遊技メダルに手を触れないで遊技を行いたいという要請に基づき、遊技メダルを直接、遊技機に供給可能な遊技機用台間機（メダル貸し出し機）が考案されている（特許文献１参照）。そして、遊技メダルを一括投入可能な投入開口を有し、一括投入開口から投入したメダルを一枚ずつ遊技機のメダル投入口に移送する一括投入機構を備えたメダル貸出機も考案されている（特願２００４−７７５）。この一括投入機構は、メダル貸出機から貸し出されるメダルや一括投入口から投入されるメダルを、駆動装置により作動する搬送装置（メダル送り装置）により、遊技機に移送するように形成されている。
【０００３】
一方、遊技メダルを一括投入可能な投入口、及び一括投入された遊技メダルを一枚ずつ分離してメダルセレクターに搬送可能な搬送装置（メダル送り装置）を有する遊技機（スロットマシン）も考案されている（特許文献２参照）。このメダル送り装置は、駆動装置によりメダルを送り出すよう形成されていて、遊技者の意思に基づいてメダル投入を行うことができるよう、駆動装置の駆動を開始させるためのボタン型のスイッチを設けてある。
【特許文献１】特開２００３−２９９８６８号公報（図１）
【特許文献２】特開２００３−３３９９５１号公報（図３、図４）
【発明の開示】
【発明が解決しようとする課題】
【０００４】
しかし、搬送装置を有する一括投入機構を遊技機用台間機に設ける場合、上記したようなボタン型の駆動開始スイッチでは、遊技者が遊技機に座った状態で少し離れた位置にある台間機に手を伸ばして操作する関係上、操作がし難く機能的でない。
そこで、各請求項に記載された各発明は、かかる問題点に鑑みてなされたものであり、その目的とするところは、次の点にある。
（請求項１）
すなわち、請求項１記載の発明は、遊技者の意思に基づく搬送装置の作動に、よりきめ細やかに対応可能であり、操作もし易い駆動開始スイッチを有する台間機用遊技メダルの一括投入機構を提供しようとするものである。
【０００５】
（請求項２）
請求項２記載の発明は、上記した請求項１記載の発明の目的に加え、次の点を目的とする。すなわち、請求項２記載の発明は、メダル貸出機から払い出される遊技メダルを直接遊技機に投入する場合には、遊技者の操作なしでも搬送装置が作動を開始し、遊技機にメダルを移送可能な台間機用遊技メダルの一括投入機構を提供しようとするものである。
（請求項３）
請求項３記載の発明は、上記した請求項１又は２記載の発明の目的に加え、次の点を目的とする。すなわち、請求項３記載の発明は、遊技者が操作しなくても自動的に搬送装置が作動を停止し、搬送装置の無駄な作動を防止できる台間機用遊技メダルの一括投入機構を提供しようとするものである。
【０００６】
（請求項４）
請求項４記載の発明は、上記した請求項１乃至３のいずれか１項に記載の発明の目的に加え、次の点を目的とする。すなわち、請求項４記載の発明は、遊技者の意思により搬送装置の作動を停止させることができ、遊技機へのメダル投入を中断可能な台間機用遊技メダルの一括投入機構を提供しようとするものである。
【課題を解決するための手段】
【０００７】
各請求項にそれぞれ記載された各発明は、上記した各目的を達成するためになされたものであり、各発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技メダルの投入口(10)を有する遊技機に隣接して設置される遊技機用台間機に設けられ、一括投入される複数枚の遊技メダルを受け入れ可能な投入開口（一括投入開口(31)）と、この投入開口(31)の下方に設けられ、遊技メダルを貯留可能なメダル貯め部(44)と、遊技メダルを隣接する遊技機のメダル投入口(10)に移送するための移送部材（メダル移送ブロック(60)）と、駆動装置（駆動モータ(55)）により作動し、前記メダル貯め部(44)に貯留された遊技メダルを、前記移送部材(60)に一枚ずつ送り出す搬送装置(50)とを少なくとも備えた遊技メダルの一括投入機構(3)である。
【０００８】
本発明は、遊技機用台間機、例えばスロットマシン(1)の隣に設置されるメダル貸出機(2)に備えられる遊技メダルの一括投入機構(3)であって、投入開口(31)から遊技メダルを一括投入して、隣接する遊技機のメダル投入口(10)に一枚ずつ移送するためのものである。一括投入機構(3)は、上方に投入開口(31)、下方に移送部材(60)を有し、搬送装置(50)を内蔵した、遊技機用台間機の正面に固定される箱状の装置とすることができる。
ここで、遊技メダルの「一括投入」とは、メダルの向きを揃えて投入したり一枚ずつ投入するのではなくて、適宜手に掴んだ遊技メダルをランダムに投入開口に投げ入れるような場合のことを言うものである。なお、投入開口(31)に、装置内部に落下移動するメダルの向きが極力一定方向に揃うような手段（例えば仕切棒(B)）を設けると好ましい。
【０００９】
前記メダル貯め部(44)は、投入開口(31)から投入された遊技メダルを一時的に貯留可能な空間である。
前記搬送装置(50)は、例えば駆動モータ(55)により回転する一対のローラ(51)に搬送ベルト(53)を掛け渡し、逆転ローラ(52)によりベルト上のメダルを一枚ずつ分離可能に形成したベルト駆動式メダル送り出し機することができるが、遊技メダルを一枚ずつ分離して移送可能なものであれば、ベルト式に限られない。例えば回転ディスク式ミニホッパーでもよい。
また、前記移送部材(60)は、メダル受け口(63)とメダル排出口(64)との間に遊技メダルが通過可能なメダル移送路(65)を形成したブロック部材とすることができる。そして、搬送装置(50)により一枚ずつ移送される遊技メダルを、メダル受け口(63)が受け入れるように形成されている。また、メダル排出口(64)は、隣接する遊技機のメダル投入口(10)の例えば側方や上方に位置するように配置され、メダル排出口(64)から排出された遊技メダルが転送又は落下して、メダル投入口(10)に投入されるようになっている。
【００１０】
そして、本発明は、前記投入開口(31)の少なくとも前方に略水平方向に張り出す張り出し部(31A)を設け、少なくとも前記張り出し部(31A)に、前記駆動装置(55)の駆動停止中に接触することにより駆動装置(55)が駆動開始する接触センサ（タッチセンサ(71)）を設けたことを特徴とする。
ここで、「前方」とは、遊技機用台間機を正面から見た場合の手前側であって、斜め前方も含まれる。前記張り出し部(31A)は、例えば、上方に平坦部を有するカウンター状に形成することができ、投入開口(31)の手前側だけでなく、投入開口(31)の左右方向に向かって張り出す部分を有していてもよい。
【００１１】
前記接触センサ(71)は、物理的接触によってスイッチがＯＮ状態となるセンサであり、物理的接触の解除、再度の接触、一定時間経過などによりスイッチがＯＦＦ状態となるものである。この接触センサ(71)は、前記張り出し部(31A)以外にも設けることができる。例えば、張り出し部(31A)を含む投入開口(31)の周囲に設けてもよい。
（作用）
投入開口(31)に投入された遊技メダルは、メダル貯め部(44)に貯留される。そして、張り出し部(31A)に手を触れると、接触センサ(71)により駆動装置(55)が駆動開始する。張り出し部(31A)は投入開口(31)の前方にあるので、遊技機に座っている遊技者が触れやすく、また投入開口(31)へのメダル投入行為と同時に接触することもできる。駆動装置(55)の駆動により搬送装置(50)が作動して、メダル貯め部(44)に貯留されている遊技メダルが移送部材(60)に移送される。
【００１２】
接触センサ(71)が、接触している間はスイッチＯＮ状態であり、接触を解除するとスイッチＯＦＦとなるよう形成されている場合には、搬送装置(50)が必要な枚数だけ遊技メダルを送り出したら（これは遊技機のメダルカウンタにより確認できる）、張り出し部(31A)から手を離せば、接触センサ(71)はＯＦＦ状態になって駆動装置(55)は駆動を停止する。また、接触センサ(71)が、接触するとスイッチＯＮとなり、スイッチＯＮ状態で駆動装置(55)が駆動中に接触するとスイッチＯＦＦとなるよう形成されている場合には、搬送装置(50)が必要な枚数だけ遊技メダルを送り出したら、張り出し部(31A)に再度手を触れれば、駆動装置(55)は駆動を停止する。従って、遊技者は、張り出し部(31A)すなわち接触センサ(71)への接触の仕方ひとつで、遊技機へメダルを移送させることができ、メダル移送を中止することもできる。
【００１３】
（請求項２）
（特徴点）
請求項２記載の発明は、上記した請求項１記載の発明の特徴点に加え、次の点を特徴とする。すなわち、請求項２記載の発明は、貸し出しメダル払い出し装置(23)を少なくとも有するメダル貸出機(2)に設けられ、前記貸し出しメダル払い出し装置(23)から払い出される遊技メダルを前記メダル貯め部(44)に移送可能に形成されているとともに、前記貸し出しメダル払い出し装置(23)から遊技メダルが払い出された場合には、前記駆動装置(55)の駆動を開始するように形成されていることを特徴とする。
【００１４】
ここで、メダル貸出機(2)は、前記貸し出しメダル払い出し装置(23)の他に、紙幣投入口(21)や紙幣カウンタ(22)を有していてもよく、その他の装置を備えていても構わない。
貸し出しメダル払い出し装置(23)から払い出される遊技メダルをメダル貯め部(44)に移送可能とする手段としては、貸し出しメダル払い出し装置(23)のメダル排出口近傍からメダル貯め部(44)まで通ずる管状の移送路（払い出し通路(42)）を設けたり、貸し出しメダル払い出し装置(23)のメダル排出口から排出されるメダルが、投入開口(31)から投入される（例えば、投入開口(31)の上方にメダル排出口を配置する、メダル排出口から投入開口(31)への移送路を設ける）ように形成することができる。
【００１５】
また、貸し出しメダル払い出し装置(23)から遊技メダルが払い出された場合に駆動装置(55)の駆動を開始させる手段としては、払い出しメダルを検知するセンサを設け、その検知信号に基づいて駆動装置(55)を駆動させたり、貸し出しメダル払い出し装置(23)の作動信号に基づいて駆動装置(55)を駆動させるように形成することができる。
（作用）
メダル貸出機(2)に紙幣を入れるなどして貸し出しメダル払い出し装置(23)を作動させると、払い出された遊技メダルは直接、又は投入開口(31)を経て、メダル貯め部(44)に移送される。一方、貸し出しメダル払い出し装置(23)の作動により、駆動装置(55)が駆動を開始するので、払い出された遊技メダルは、搬送装置(50)により、メダル貯め部(44)から移送部材(60)に移送される。この場合は、接触センサ(71)に接触しなくとも、駆動装置(55)が駆動を開始する。従って、メダル貸出機(2)からある程度まとまった枚数払い出される遊技メダルを、手で受け止めたり容器入れて遊技機（例えばスロットマシンの下皿）まで移動させる必要が無く、メダルに手を触れることなく遊技を開始することができる。なお、入賞などにより遊技機から払い出された遊技メダルを、再度遊技機に投入する場合には、投入開口(31)に一括投入し、接触センサ(71)に触れて搬送装置(50)を作動させればよい。
【００１６】
（請求項３）
（特徴点）
請求項３記載の発明は、上記した請求項１又は２記載の発明の特徴点に加え、前記駆動装置(55)は、駆動開始後、所定時間の経過により駆動停止することを特徴とする。
本発明及び請求項４記載の発明は、作動中の搬送装置(50)の作動停止の態様を規定したものである。
ここで、「所定時間」は、メダル貯め部(44)に最大限貯留可能な枚数の遊技メダル、あるいはメダル貸出機(2)から払い出される最大限の枚数の遊技メダルが、搬送装置(50)によりすべて移送部材(60)に移送されるのに必要十分な時間とするのが好ましい。あるいは、所定枚数の遊技メダルが搬送装置(50)により移送部材(60)に移送されるのに必要十分な時間としてもよい。
【００１７】
また、所定時間経過後に駆動装置(55)の駆動を停止させる手段としては、例えば駆動装置(55)の駆動を制御する制御部にタイマー手段を設け、駆動装置(55)の駆動開始後所定時間経過後に、駆動停止信号を出力するように形成することができる。あるいは、搬送装置(50)から移送部材(60)に送り出されるメダルを検知するセンサ（メダル検知センサ(46)）を設け、駆動装置(55)の駆動中にこのセンサが一定時間メダルを検知しない場合や、所定枚数のメダルを検知した場合には、駆動停止信号を出力するように形成してもよい。
（作用）
本発明によれば、接触センサ(71)が、接触するとスイッチＯＮとなり、スイッチＯＮ状態で駆動装置(55)が駆動中に接触するとスイッチＯＦＦとなるよう形成されている場合には、接触センサ(71)により搬送装置(50)を作動させた後、再び接触センサ(71)に接触することなく、自動的に搬送装置(50)の作動を停止させることができる。
【００１８】
また、貸し出しメダル払い出し装置(23)の作動により、駆動装置(55)が駆動を開始する場合（請求項２の場合）には、メダル貸出機(2)に紙幣などを投入したあと、搬送装置(50)は自動的に作動開始し、所定時間経過後に自動的に作動停止する。
（請求項４）
（特徴点）
請求項４記載の発明は、上記した請求項１乃至３のいずれか１項に記載の発明の特徴点に加え、前記駆動装置(55)は、駆動中における接触センサ(71)への接触により駆動停止することを特徴とする。
【００１９】
（作用）
本発明によれば、接触センサ(71)により搬送装置(50)を作動させた後、再び接触センサ(71)に接触することにより、搬送装置(50)の作動を停止させることができる。また、貸し出しメダル払い出し装置(23)の作動により、駆動装置(55)が駆動を開始した場合（請求項２の場合）には、接触センサ(71)への接触により搬送装置(50)の作動を停止させることができる。そして、駆動装置(55)が、駆動開始後、所定時間の経過により駆動停止するように形成されている場合（請求項３の場合）でも、所定時間が経過する前に接触センサ(71)への接触により搬送装置(50)の作動を停止させることができる。
【発明の効果】
【００２０】
本発明は、以上のように構成されているので、以下に記載されるような効果を奏する。
すなわち、請求項１記載の発明によれば、接触センサの採用により遊技者の意思に基づく搬送装置の作動をよりきめ細やかに行うことができ、投入開口の近傍の張り出し部に接触センサを設けたことから、搬送装置の作動を開始又は停止させるためのスイッチの操作がし易い台間機用遊技メダルの一括投入機構を提供することができる。
また、請求項２記載の発明によれば、メダル貸出機から払い出される遊技メダルを直接遊技機に投入する場合には、遊技者がスイッチ操作しなくても搬送装置が作動を開始し、遊技機にメダルを移送させることができる。そして、請求項３記載の発明によれば、遊技者がスイッチ操作しなくても自動的に搬送装置が作動停止し、一括投入機構内部のメダル送り出し終了後などの搬送装置の無駄な作動を防止でき、請求項４記載の発明によれば、遊技者の意思により搬送装置の作動を停止させ遊技機へのメダル投入を中断可能とすることかできる。
【発明を実施するための最良の形態】
【００２１】
本発明の最良の実施形態を、遊技機としてスロットマシンを例に、図面に基づき説明する。
（図面の説明）
図１乃至図１０は、本発明の実施の形態を示すものである。
図１は一括投入機構３の縦断面図、図２はスロットマシン１及びメダル貸出機２の外観斜視図、図３はメダル貸出機２の側面図、図４は一括投入機構３及びメダル投入口10の拡大斜視図、図５は一括投入機構３の分解斜視図、図６はメダル送り装置40の斜視図、図７は一括投入機構３の部分拡大断面図、図８及び図９はメダル送り装置40の作動説明図、図１０は搬送装置50の作動の概略を示すフローである。
【００２２】
本実施の形態におけるメダル貸出機２は、スロットマシン１に隣接して設置され、一台のスロットマシンに一機ずつ対応するように設けられている。
（スロットマシン１）
スロットマシン１は、図２に示すように、筐体及び筐体の正面側に取り付けられた前扉13から形成され、正面側には回転リール（図示せず）の図柄を視認可能な図柄表示窓14が形成されている。また、この図柄表示窓14の下方でありスロットマシン１の略中央部は、スタートスイッチやストップスイッチなどの操作手段が設けられる操作部16となっている。そしてこの操作部16の正面右端部には、遊技メダルを投入するためのメダル投入口10が設けられている。なお、特に図示しないが、メダル投入口10の下方には、遊技メダルの真贋を判断すると共に投入メダルをカウントするためのメダルセレクターが設けられている。また、スロットマシン１の下部には、払い出しメダルを貯留可能な払い出しメダル皿15が設けられている。
【００２３】
ここで、メダル投入口10は、図４に示すように、上方から遊技メダルを一枚ずつ投入可能な上方投入開口11と、上方投入開口11の側方に連通する側方移送通路12とを有している。この側方移送通路12は、上方投入開口11から正面右側（メダル貸出機２側）に延設された樋状の通路であって、後述するメダル移送ブロック60から送られてくる遊技メダルを受け入れ上方投入開口11に移送するためのものである。
そして、メダル投入口10から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数のメダルが払い出されるように形成されているものである。
【００２４】
（メダル貸出機２）
メダル貸出機２は、スロットマシン１の側面側に隣接して設置される箱型の装置であって、金銭と引き替えに遊技メダルを貸し出すと共に、貸し出しメダル及び遊技者が投入するメダルをスロットマシン１のメダル投入口10に投入するためのものである。すなわち、メダル貸出機２は、図３に示すように、外箱20に、紙幣カウンター22及び貸し出しメダル払い出し装置23が内蔵されているとともに、正面側には一括投入機構３が取り付けられているものである。
紙幣カウンター22は、外箱20の正面下方に設けられた紙幣投入口21から投入された紙幣を読み取って、貸し出しメダル払い出し装置23に所定枚数の遊技メダルを払い出させるためのものである。なお、メダル貸出機としては、紙幣投入口21及び紙幣カウンター22の他に、硬貨投入口や硬貨カウンター、釣り銭払い出し口などを有していてもよい。また、プリペイドカード投入口とカードリーダーを有していてもよい。
【００２５】
貸し出しメダル払い出し装置23は、遊技メダルを払い出すためのいわゆるホッパー装置であり、特に図示しないが、遊技メダルを貯留しておくためのタンクと、タンクに貯留されている遊技メダルを一枚ずつ排出可能な送り出し円板を有している。送り出し円板は、駆動モータに回転可能に軸止されており遊技メダルが嵌入可能な孔が形成されている。そして、この孔に入った遊技メダルを、回転に伴い一枚ずつ装置の外に排出するようになっている。また、貸し出しメダル払い出し装置23には排出メダルをカウントするためのセンサが設けられていて、所定枚数の遊技メダルを払い出したら駆動モータが停止するように形成されている。
【００２６】
（一括投入機構３）
一括投入機構３は、前記貸し出しメダル払い出し装置23から払い出される遊技メダル、及び遊技者が投入する遊技メダルを、スロットマシン１のメダル投入口10に一括投入するための機構である。
具体的には、一括投入機構３は、図１及び図４に示すように、大きく分けて、メダル貸出機２の外箱20の正面に取り付けられた本体カバー30と、本体カバー30の内部に設けられたメダル送り装置40と、本体カバー30の正面側に着脱自在に取り付けられたメダル移送ブロック60とから構成されている。
【００２７】
（本体カバー30）
本体カバー30は、図２、図３に示すように、メダル貸出機２の外箱20の正面略中央部から手前側（スロットマシン１を正面から見た場合の手前側。以下同じ）に突出する箱形部材であり、上方に開口する一括投入開口31が形成され、図１に示すように、内部にはメダル送り装置40が内蔵されている。
ここで、一括投入開口31の前方には、図１及び図４に示すように、上面に平坦部を有するカウンター状の張り出し部31Aが形成されている。張り出し部31Aは、一括投入開口31の手前側及び側方に向かって張り出し、平面からみると略Ｕ字型に形成されている。ここには、後述するが、搬送装置50を作動及び作動停止させるためのタッチセンサ71が敷設されており、張り出し部31Aに触れることにより、搬送装置50の駆動モータ55が駆動開始したり駆動を停止したりするようになっている。このように、一括投入開口31の近傍でかつ手前側に張り出した部分にタッチセンサ71を設けることにより、搬送装置50の作動操作をしやすくしているものである。なお、タッチセンサ71は、図４に示すように、張り出し部31Aだけではなく一括投入開口31の周囲に設けてあるので、一括投入開口31のまわりのどこを触れても搬送装置50の作動操作を行うことができるようになっている。
【００２８】
そして、本体カバー30の正面側下端部には、図５に示すように、メダル移送ブロック60が設置される切り欠き部32が形成されており、この切り欠き部32の上方には、メダル移送ブロック60のメダル受け口63に連通するメダル落下部33が形成されている。また、前記切り欠き部32の正面側には、メダル移送ブロック60を前後方向に移動可能に取り付けるための取り付け板34が設けられている。
さらに、本体カバー30の底部奥側には、図５に示すように、メダル送り装置40から排出される異物やリセットメダルを受け止める排出貯留箱90を収納するための貯留箱収納部37が設けられており、貯留箱収納部37の上方には、排出開口36が形成されている。貯留箱収納部37は、上方及び正面に開口する箱形のケースであり、正面側開口から排出貯留箱90を嵌め込むことができるとともに、上方の排出開口36から異物やリセットメダルを排出貯留箱90に落下させるとができるようになっている。
【００２９】
（メダル送り装置40）
メダル送り装置40は、前記本体カバー30に内蔵されたメダルを送り出すための装置であり、図１に示すように、本体ブロック41の内部に搬送装置50を設け、搬送装置50の奥側下方に排出装置80を設けた構成となっている。
本体ブロック41は、図１及び図６（Ａ）に示すように、長さ方向略中央部に、上方に開口する受入開口48を有し、受入開口48の奥側には、上方に向かって延びる角形管状の払い出し通路42が設けられている。また、本体ブロック41の前方下部には、搬送装置50が内蔵されており、本体ブロック41の正面底部には、搬送装置50により送り出されたメダルを排出するためのメダル排出部47が形成されているとともに、搬送装置50により送り出されるメダルを検知するためのメダル検知センサ46が設けられている。そして、図６（Ｂ）に示すように、前記払い出し通路42の下面には、排出装置80のソレノイド81が設けられており、ソレノイド81の作動で開閉板82を開くことにより、メダル送り装置40内部にあるメダルや異物などを、本体ブロック41の底面に形成されたリセット開口49から排出させることができるようになっている（図９参照）。
【００３０】
前記受入開口48は、一括投入開口31から投入される遊技メダルを受け入れるための開口であり、開口幅のほぼ中央部に、横方向に亘って設けられた仕切棒Ｂを有している。これは、投入される遊技メダルを、極力同一方向に揃えるためである。すなわち、この仕切棒Ｂがあることにより、受入開口48に遊技メダルが縦向き（メダルの表裏面が左右方向となる向き）で投入されることがないので、ランダムに投入される遊技メダルの向きを、横向き（メダルの表裏面が前後方向となる向き）にして落下させるようになるものである。このように落下した場合には、メダルの向きが揃っているので、受入開口48の下方に位置する空間であるメダル貯め部44に、遊技メダルが平積みとなるよう貯留させることができ、搬送装置50により搬送しやすくなる。
【００３１】
また、受入開口48の手前側端部48Aには、搬送装置50の上方空間を、受入開口48の下方に位置するメダル貯め部44と、メダル貯め部44よりも手前側に位置するメダル戻り部45とに分ける移動調整弁43が取り付けられている。移動調整弁43は、メダル貯め部44からメダル戻り部45へのメダル移動を阻止し、メダル戻り部45からメダル貯め部44へのメダル移動は適宜許容することにより、搬送装置50によるメダル移送をスムーズに行わせるためのものである。
前記払い出し通路42は、メダル貸出機２の貸し出しメダル払い出し装置23から貸し出される遊技メダルを受け入れて、前記メダル貯め部44に誘導するためのものである。払い出し通路42の底面は、奥側から手前側に向かって下り傾斜となっており、傾斜の前端部が開閉板82によって開閉可能に形成されている。開閉板82が閉じているときには、メダル貯め部44に遊技メダルが貯留され、開閉板82が開いた場合には、メダル貯め部44又は搬送装置50の搬送ベルト53上にあるゴミなどの異物や遊技メダルは、リセット開口49から落下する。
【００３２】
前記メダル排出部47は、搬送装置50より送り出されたメダルをメダル移送ブロック60に一枚ずつ排出するためのものであり、図７に示すように、下方に開口する排出スリット47Bと、搬送装置50の前端部近傍からに排出スリット47Bに向かって下降する湾曲傾斜面を形成する誘導板47Aを有している。
前記メダル検知センサ46は、遮光センサや反射センサであって、メダルの移動をセンシングしてメダル詰まりを検知するためのものである。すなわち、メダル検知センサ46は、検知が正常時のメダル検知パターンと異なる場合、例えばメダル検知センサ46が所定時間メダルを検知し続けている場合には、搬送装置50の作動を停止させるための信号を出力する。
【００３３】
（搬送装置50）
搬送装置50は、本体ブロック41の前方下部に内蔵されており、受入開口48が受け入れた遊技メダルを、水平状態（遊技メダルの表裏面が上下となる状態）で一枚ずつ、メダル移送ブロック60へと送り出すためのものである。具体的には、搬送装置50は、図１に示すように、一対のローラ51（51A,51B）と、ローラ51A,51Bに掛け渡された搬送ベルト53と、搬送ベルト53の手前側上方に送出間隙54をあけて設置された逆転ローラ52と、ローラ51,52を回転させるための駆動モータ55と、駆動モータ55のモータ軸の回転をローラ51,52に伝達するための伝達手段56を有している。
【００３４】
前記ローラ51は、正面側から見て前後に並列して設けられている。また、前記搬送ベルト53は、二つのローラ51A,51Bに掛け渡された平ベルトであり、表面にはゴム等を被覆して、遊技メダルとの摩擦抵抗を大きくするよう形成してある。そして、手前側のローラ51Aの方が、奥側のローラ51Bよりも若干高い位置に取り付けられているので、搬送ベルト53の上面は手前側に向かってやや上り傾斜となっており、ローラ51を図１に示す黒矢印の方向に回転させることにより、搬送ベルト53の上面が手前側に移動するようになっている。
前記ローラ51と逆転ローラ52は、伝達手段56により同時に回転するようになっている。伝達手段56は、駆動モータ55の駆動軸とローラ51Aと逆転ローラ52に設けられたギヤ、及び各ギヤを連結するベルトであって、逆転ローラ52はローラ41と同方向に回転するので、搬送ベルト53の上面の進行方向と、逆転ローラ52の下面の移動方向とが逆になる。また、前記伝達手段56の調整（直径の異なるギヤの組み合わせ）により、逆転ローラ52の回転速度の方が、ローラ51の回転速度よりも早くなるように形成されている。
【００３５】
そして、逆転ローラ52の下面と搬送ベルト53の上面との間には、遊技メダル一枚の厚みよりも大きく、遊技メダル二枚分の厚みよりは小さい送出間隙54が形成されている。これにより、搬送ベルト53の上面に乗っている遊技メダルを、一枚ずつ手前側に送り出すとともに、搬送ベルト53の上方であって逆転ローラ52の後方にある遊技メダルをメダル戻り部45に蹴り出すようになっている。
搬送ベルト53の前方側はメダル排出部47と近接しており、ベルト上面に乗っている遊技メダルは、搬送ベルト53の表面に乗ったままメダル排出部47へと運ばれる。
（作動制御スイッチ70）
ここで、前記搬送装置50は、作動制御スイッチ70により作動及び作動停止するものである。本実施の形態においては、作動制御スイッチ70として、駆動モータ55を正転駆動させるためのタッチセンサ71及び投入センサ73と、駆動モータ55を逆転駆動させるためのリセットスイッチ72が設けてある。そして、特に図示しないが、前記作動制御スイッチ70及びメダル検知センサ46からの出力信号に基づいて駆動モータ55の駆動を制御するための制御基板が、一括投入機構３の適当な場所に設けられている。
【００３６】
タッチセンサ71は、図４に示すように、一括投入開口31の周囲に伝導体を敷設したＯＮ／ＯＦＦ切り替えスイッチであって、人が手を触れると通電してスイッチがＯＮとなって駆動モータ55が駆動を開始し、手を触れている状態から手を離すとスイッチがＯＦＦとなって駆動モータ55が駆動を停止するようになっている。さらに、投入センサ73により駆動モータ55が駆動開始した場合にはスイッチがＯＮとなり、駆動モータ55の駆動中に手を触れると、スイッチがＯＦＦとなって駆動モータ55が駆動を停止するようになっている。これにより、遊技者は適宜搬送装置50を作動させて、自分の好みの量のメダルをスロットマシン１に投入することができる。
【００３７】
ここで、タッチセンサ71を一括投入開口31の周囲に配置したのは、一括投入開口31へのメダル投入と同時に搬送装置50を作動開始できること、張り出し部31Aを含む一括投入開口31の周囲が、接触するのに最も適しているからである。なお、本実施の形態では、タッチセンサ71を一括投入開口31の周囲に配置してあるが、一括投入開口31の手前側の張り出し部31Aの部分のみに配置することもできる。このように形成しても、スロットマシン１の正面に座る遊技者が最も手を触れやすい場所にタッチセンサ71が配置されるので、搬送装置50の作動操作を効率よく行うことができる。
リセットスイッチ72は、図４に示すように、本体カバー30の側面に設けたボタンスイッチであり、ボタン押圧によりスイッチがＯＮとなって駆動モータ55が逆転駆動し、ボタンから手を離すとスイッチがＯＦＦとなって駆動を停止するようになっている。また、リセットスイッチ72を操作すると、同時に排出装置80のソレノイド81が作動して開閉板82を開くので（図９参照）、メダル送り装置40内部に残留している遊技メダルを取り出したり、一括投入開口31内に入ったゴミなどの異物を取り除くことができる。
【００３８】
投入センサ73は、図１に示すように、メダル送り装置40の払い出し通路42の上端部に設けたセンサであって、貸し出しメダル払い出し装置23から排出されるメダルを検知して、駆動モータ55を駆動させるためのものである。すなわち、投入センサ73は、メダル検知によりスイッチがＯＮとなって駆動モータ55が駆動を開始する。そして、駆動モータ55の駆動中に前記タッチセンサ71に触れた場合には、スイッチＯＦＦとなって、駆動モータ55が駆動を停止するように形成されている。
ここで、投入センサ73は、払い出し通路42以外の場所に設けてあってもかまわない。例えば、貸し出しメダル払い出し装置23のメダル排出部に設けてもよい。また、投入センサ73にメダルを検知させるのではなく、貸し出しメダル払い出し装置23の作動信号の受信によりスイッチがＯＮとなるよう形成してもよい。
【００３９】
また、搬送装置50が作動中に、メダル検知センサ46がメダル詰まりを検知した場合には、駆動モータ55の駆動が停止する。タッチセンサ71及び投入センサ73は、駆動モータ55の駆動停止によりスイッチＯＦＦ状態に戻るので、メダル詰まりの解消後、再びタッチセンサ71に触れれば、駆動モータ55が駆動を開始し、メダル貸出機２からメダルが払い出されれば駆動モータ55が駆動を開始する。
ところで、駆動モータ55の駆動中にタッチセンサ71が操作されなかった場合や、メダル詰まりが発生しなかった場合には、駆動開始後、所定時間経過後に、自動的に駆動モータ55が駆動を停止するようになっている。これは、駆動モータ55の制御基板に設けられたタイマー装置が、所定時間経過の経過により駆動モータ55に駆動停止信号を出力し、タッチセンサ71及び投入センサ73のスイッチがＯＦＦとなるように形成されているものである。ここで、「所定時間」は、メダル貸出機２が一回に払い出す最大枚数（例えば５０枚）の遊技メダルが、全て搬送装置50によってスロットマシン１のメダル投入口10に移送されるのに必要十分な時間とすると好適である。
【００４０】
また、駆動モータ55の駆動中にメダル検知センサ46からの検知信号が所定時間無い場合に、前記タイマー装置が駆動モータ55に駆動停止信号を出力するようにしてもよい。このように形成すると、メダル送り装置40の内部に送り出すメダルが無くなった場合だけでなく、搬送装置50の内部、例えば搬送ベルト53と逆転ローラ52との間にメダルが挟まった様な場合でも、駆動モータ55が停止することとなる。
なお、作動制御スイッチ70として、メダル貯め部44及びメダル戻り部45内の遊技メダルの有無を検知可能なセンサを設けてもよい。具体的には、例えば、受入開口48やメダル戻り部45の側壁や上板に遮光センサや反射センサを設け、メダルを検知することにより、あるいは一定時間メダルを検知しないことにより、搬送ベルト53を作動させたり停止させたりするものである。このようなセンサを設けた場合には、一括投入開口31に投入された遊技メダル、あるいはメダル貸出機２から払い出された遊技メダルを、すべてスロットマシン１に投入するまで、搬送装置50が作動するので、一括投入機構３内部に遊技メダルが残留することがない。
【００４１】
また、前記したような、メダル貯め部44やメダル戻り部45内のメダル検知に基づいて搬送装置50の作動とともに、タッチセンサ71による作動及び作動停止を組み合わせてもよい。この場合には、メダル貯め部44やメダル戻り部45にメダルが無くなれば、搬送装置50は自動的に作動停止し、メダル貯め部44やメダル戻り部45にメダルが残留していても、タッチセンサ71に触れることにより搬送装置50を作動停止させることができる。
さらに、タッチセンサ71により搬送装置50を作動させる場合、所定枚数のメダルを送り出したら自動的に作動停止するように形成してもよい。すなわち、駆動モータ55の駆動中、メダル検知センサ46や搬送装置50に設けたセンサにより、搬送装置50からメダル移送ブロック60に送り出されるメダルの枚数をカウントし、カウント値が所定値に達したら、駆動モータ55の駆動を停止させるようにするものである。このように形成した場合には、タッチセンサ71に触れるごとに、メダルを数枚ずつ投入できるので、スロットマシン１にメダルを一度に投入したくない場合でも一括投入機構３を利用でき、手投入でメダル投入口10に投入する必要がない。この場合、一回のタッチ操作（スイッチＯＮ／ＯＦＦ）で、例えば３枚のメダルが搬送装置50により移送され、タッチセンサ71に触れたまま（スイッチＯＮ）の場合には、接触が解除されるまで搬送装置50が作動するように形成すると好適である。このように形成すれば、数枚のメダルを投入する場合にはタッチセンサ71（例えば張り出し部31A）をぽんと叩くような操作をし、大量のメダルを投入する場合にはタッチセンサ71に手を触れたままにすればよいので、タッチセンサ71への触れ方一つで、遊技者の意向に添ったメダル投入を行うことができる。
【００４２】
（搬送装置50の作動）
次に、搬送装置50の作動の概略について、図１０のフローに基づき説明する。
まず、初期状態では、すべての作動制御スイッチ70はＯＦＦ状態である。そして、図１０のステップ１００において、リセットスイッチ72がＯＮとなったかどうか、すなわちリセットスイッチ72が押圧されたかどうかを判断する。リセットスイッチ72がＯＮでない場合には、次のステップ１０１に進む。
ステップ１０１において、タッチセンサ71がＯＮとなったかどうか、すなわちタッチセンサ71への接触があったかどうかを判断する。タッチセンサ71がＯＮでない場合には、次のステップ１０２に進む。
【００４３】
ステップ１０２において、投入センサ73がスイッチＯＮとなったかどうか、すなわちメダル貸出機２の貸し出しメダル払い出し装置23からメダルが払い出されたかどうかを判断する。投入センサ73がスイッチＯＮでない場合には、ステップ１００に戻る。一方、投入センサ73がスイッチＯＮとなった場合には、次のステップ１０３に進む。
前記ステップ１０１において、タッチセンサ71がＯＮとなった場合には、ステップ１０２を飛び越してステップ１０３に進む。
ステップ１０３において、駆動モータ55を正回転させる。これにより、搬送ベルト53が回転し、メダルの移送を開始する。そして、次のステップ１０４に進む。
【００４４】
ステップ１０４において、メダル詰まりが発生しているかどうかを判断する。すなわち、メダル検知センサ46からメダル詰まり信号が出力されているかどうかを判断する。メダル詰まりが発生していない場合には、次のステップ１０５に進む。
ステップ１０５において、作動制御スイッチ70のスイッチがＯＦＦとなったかどうかを判断する。具体的には、タッチセンサ71への接触終了又はタッチセンサ71への接触によりスイッチＯＦＦ状態に切り替わったか、投入スイッチ73がスイッチＯＮとなってから所定時間が経過したか、を判断する。スイッチがＯＦＦになっていない場合には、ステップ１０３に戻る。一方、スイッチがＯＦＦになった場合には、次のステップ１０６に進む。
【００４５】
前記ステップ１０４において、メダル詰まりが発生している場合には、ステップ１０５を飛び越してステップ１０６に進む。
ステップ１０６において、正回転している駆動モータ55の駆動を停止させる。そして、搬送装置50の作動制御を終了する。このように、本実施の形態では、一括投入開口31からメダルを一括投入した場合にはタッチセンサ71により搬送装置50を作動及び作動停止させることができ、メダル貸出機２からメダルを直接メダル貯め部44に払い出した場合には、メダル払い出しにより搬送装置50が作動を開始し、所定時間経過後又はタッチセンサ71への接触により搬送装置50の作動が停止する。従って、一括投入開口31へのメダル投入、メダル貸出機２からのメダル払い出しのいずれの場合も、遊技者がタッチセンサ71に触れることによりメダル移送を中止できる。
【００４６】
さて、前記ステップ１００において、リセットスイッチ72がＯＮとなった場合には、ステップ１０７に進む。
ステップ１０７において、駆動モータ55を逆回転させる。なおこのとき、排出装置80のソレノイド81も同時に作動して、開閉板82が開いてリセット開口49が開口する。駆動モータ55の逆回転により、搬送ベルト53がメダル送り方向と逆方向に回転し、搬送ベルト53上のメダルや異物はリセット開口49から排出される。そして次のステップ１０８に進む。
ステップ１０８において、作動制御スイッチ70のスイッチがＯＦＦとなったかどうかを判断する。具体的には、リセットスイッチ72の押圧停止によりスイッチＯＦＦ状態に切り替わったかを判断する。スイッチがＯＦＦになっていない場合には、ステップ１０７に戻る。一方、スイッチがＯＦＦになった場合には、ステップ１０６に進み、逆回転している駆動モータ55の駆動を停止させて、搬送装置50の作動制御を終了する。
【００４７】
なお、前記ステップ１０４において、メダル詰まりの判断（メダルを一定時間検知し続けているかどうか）とともに、メダル検知センサ46が一定時間メダルを非検知かどうかを判断するようにしてもよい。すなわち、駆動モータ55が駆動中なのにメダルがメダル排出部47に移送されてこない状況を検知するものである。かかる状況とは、メダル送り装置40内部にメダルが無くなったか、搬送装置50内でメダルが詰まっていると考えられるので、メダル検知センサ46が一定時間メダルを非検知の場合には、ステップ１０６に進んで駆動モータ55の駆動を停止させるようにする。このように形成することにより、搬送装置50内でのメダル詰まりを検知できると共に、メダル送り出し終了後の搬送装置50の作動の無駄をなくすことができる。
【００４８】
（メダル移送ブロック60）
メダル移送ブロック60は、前記搬送装置50から送り出された遊技メダルをスロットマシン１のメダル投入口10に移送するためのものであって、図１及び図５に示すように、遊技メダルが一枚ずつ通過可能なメダル移送路65を有するブロック部材である。すなわち、メダル移送ブロック60は、上方に開口するメダル受け口63を有するメダル受け部61と、メダル受け部61から側方に向かって設けられ側端部にメダル排出口64を有するメダル移送部62とから成り、メダル受け口63から前記搬送装置50により搬送された遊技メダルを受け入れ、メダル排出口64から遊技メダルを排出するものである。
【００４９】
そして、メダル移送ブロック60は、図５に示すように、一括投入機構３の本体カバー31の正面下部の切り欠き部32に取り付けられ、図７に示すように、メダル受け部61がメダル落下口33の下方となりメダル受け口63がメダル排出部47の排出スリット47Bと連通するようになっている。また、メダル受け口63の上端部はラッパ状の断面を有していて、排出スリット47Bから落下する遊技メダルを確実に受け入れることができる。さらにメダル移送ブロック60は、図４に示すように、メダル排出口64がスロットマシン１のメダル投入口10の側方移送通路12の端部と一直線上に配置されるよう設置される。この場合、メダル排出口64と側方移送通路12の端部とは必ずしも当接、合致する必要はなく、メダル排出口64から排出されたメダルが側方移送通路12に移動可能な間隙や高さの誤差があって構わない。
【００５０】
（メダル移送ブロック60の着脱）
ここで、メダル移送ブロック60は、本体カバー30に、着脱自在、かつ前後方向にスライド可能に取り付けられている。具体的には、図５に示すように、メダル移送ブロック60は、本体カバー30の切り欠き部32の正面に取り付けられた取り付け板34に取り付けられる。すなわち、メダル移送ブロック60は、図７に示すように、取り付け板34の正面に設けられた係合孔34aに、メダル移送ブロック60の背面に設けられ前記係合孔34aに係合可能に形成された突起部60Aを係合させることにより、取り付け板34に固定可能であり、その突起部60Aと係合孔34aとの係合を外すことにより、取り付け板34から取り外すことができる。
【００５１】
一方、取り付け板34は、図７に示すように、その下端部に、奥方向に延設された舌片34bを有しており、切り欠き部32の正面に前後方向にスライド自在になっている。そして、前記舌片34bと本体カバー31の底板とを、移動調節ネジ35でネジ止めすることにより、本体カバー31に固定することができるものである。
このようにして、メダル移送ブロック60は、例えば移送路内部やメダル送り装置40のメダル排出部47付近にメダルが詰まった場合に取り外すことができるとともに、取り付け板34の固定位置を調節することによって、前後方向の位置調整を行うことができる（図７(Ｂ)参照）。そして、隣接するスロットマシン１の側方移送通路12との前後方向の位置あわせの微調整を行うことができるのである。なお、メダル排出口64と側方移送通路12との上下方向及び左右方向の微細な位置あわせについては、メダル排出口64の下端部が側方移送通路12の底面（メダルが転がる面）よりも高い位置にさえあれば、メダル排出口64の側端面と側方移送通路12の側端面とが完全に合致しなくても、メダルが隙間を飛び越していくのでそれほど問題はない。
【００５２】
さらに、メダル移送ブロック60を着脱自在とすることにより、縦方向の長さの異なるメダル移送ブロック60を付け替えることができ、メダル投入口10の高さが大幅に異なる機種にも対応できる。
(遊技メダルの移送)
次に、上記構成を有する一括投入機構３における遊技メダルの移送過程を、図８及び図９に基づき説明する。
まず、一括投入開口31から遊技メダルを投入すると、図８（Ａ）に示すように、遊技メダルは搬送ベルト53の後方部上面と開閉板82の上面に積み重なるように落下し、メダル貯め部44に貯留される。また、メダル貸出機２に紙幣を投入した場合には、貸し出しメダル払い出し装置23から遊技メダルが払い出され、払い出し通路42を通ってメダル貯め部44に貯留される。次に、一括投入開口31の周囲を手で押さえると、タッチセンサが反応して、搬送装置50が作動を開始する。すなわち、駆動モータ55が駆動して、搬送ベルト53が前方に回転開始する。
【００５３】
搬送ベルト53が移動開始すると、搬送ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、前方には回動しないので、メダル貯め部44の上部に貯留されているメダルが、一気にメダル戻り部45に雪崩れ込むのを防ぐことができる。
搬送ベルト53により前方に移送された遊技メダルのうち、搬送ベルト53の上面に乗っている遊技メダルは、図８（Ｂ）に示すように、搬送ベルト53と逆転ローラ52の下面との間の送出間隙54をすり抜けて、一枚ずつ、メダル排出部47へと移送される。一方、搬送ベルト53の上方に重なっている遊技メダルは、逆転ローラ52と接触することにより、上方後部のメダル戻り部45に蹴り戻される。逆転ローラ52は、ローラ51よりも高速回転しているので、効率よくメダルを蹴り出すことができる。
【００５４】
ここで、メダル戻り部45に滞留するメダルの量が多いと、逆転ローラ52によって後方に蹴り出すのに支障をきたし、送出間隙54でメダル詰まりが発生するおそれがある。しかし、移動調整弁43は、後方に回動可能に取り付けられているので、図８（Ｃ）に示すように、メダル戻り部45内のメダルはメダル貯め部44に逆流し、メダル戻り部45の上方に空間が形成される。これにより、逆転ローラ52によるメダルの蹴り出しがスムーズに行われるものである。
搬送装置50から送り出された遊技メダルは、メダル排出部47の誘導板47Aに誘導されつつ排出スリット47Bから下方に落下する。そして、メダル移送ブロック60のメダル受け口63に入り、メダル移送路65を通ってメダル排出口64から排出される。メダル排出口64はスロットマシン１のメダル投入口10の側方移送通路12と位置あわせされているので、遊技メダルは側方移送通路12を通って、上部投入開口11に投入される。
【００５５】
ところで、投入された遊技メダルを全て移送し終える前に搬送装置50の作動を停止させた場合には、搬送ベルト53の上面やメダル貯め部44に遊技メダルが残留したままとなる。この場合、遊技を終了するなどにより、残留している遊技メダルをスロットマシン１に投入したくない場合には、リセットスイッチ72を操作する。すると、図９に示すように、排出装置80のソレノイド81が作動して開閉板82を開くとともに、搬送装置50の駆動モータ55が逆転駆動する。これにより、搬送ベルト53の上面にある遊技メダルは後方に移動し、開閉板82が開くことにより、メダル貯め部44の底部に開口するリセット開口49から下方に落下する。メダル貯め部44に貯留されていた遊技メダルも、同様にリセット開口49から落下する。
【００５６】
このようにしてメダル送り装置40から排出された遊技メダルは、排出貯留箱90に貯留されるので、排出貯留箱90を貯留箱収納部37から手前側に引き抜いて、中に貯まったメダルを取り出せばよい。なお、メダル送り装置40内部に、ゴミなどの異物が混入した場合にも、上記したのと同様にして、取り出すことができるのは言うまでもない。
このように、本実施の形態によれば、メダル貸出機２から貸し出される遊技メダルをスロットマシン１に手に持って移動させなくても、あるいはスロットマシン１から入賞により払い出されたメダルを、一枚ずつ手でメダル投入口10に投入させなくても、一括投入機構３によりメダル投入口10に投入することができ、遊技を効率的に行うことができる。そして、タッチセンサ71により、遊技者の好みの枚数のメダルを投入することができる。
【００５７】
また、一括投入機構３は、移動調整弁43が設けてあるので、メダル送り装置40内部でのメダル詰まりを起こしにくく、メダル送り装置40から排出するときにメダル詰まりを起こした場合でも、メダル移送ブロック60を取り外すことにより容易に詰まりを解消できる。そして、排出装置80と排出貯留箱90を設けてあるので、メダル送り装置40内の残留メダルや異物なども容易に取り出すことができる。さらには、スロットマシン１のメダル投入口10の高さ位置に合わせてメダル移送ブロック60を取り替えることができるので、隣接するスロットマシンが面替えにより異なる機種のものに交換されても、メダル貸出機２自体は遊技場に固定しておくことができるのである。
【図面の簡単な説明】
【００５８】
【図１】本発明の実施の形態であって、一括投入機構の断面図である。
【図２】本発明の実施の形態であって、スロットマシン及びメダル貸出機の斜視図である。
【図３】本発明の実施の形態であって、メダル貸出機の側面図である。
【図４】本発明の実施の形態であって、メダル投入口及び一括投入機構の拡大斜視図である。
【図５】本発明の実施の形態であって、一括投入機構の分解斜視図である。
【図６】本発明の実施の形態であって、メダル送り装置の斜視図である。
【図７】本発明の実施の形態であって、一括投入機構の部分拡大断面図である。
【図８】本発明の実施の形態であって、メダル送り装置の作動説明図である。
【図９】本発明の実施の形態であって、メダル送り装置の作動説明図である。
【図１０】本発明の実施の形態であって、搬送装置の作動の概略を示すフローである。
【符号の説明】
【００５９】
１  スロットマシン
10  メダル投入口                11  上部投入開口
12  側方移送通路                13  前扉
14  図柄表示窓                  15  払い出しメダル皿
16  操作部
２  メダル貸出機
20  外箱                        21  紙幣投入口
22  紙幣カウンター              23  貸し出しメダル払い出し装置
３  一括投入機構
30  本体カバー                  31  一括投入開口（投入開口）
31A  張り出し部                  32  切り欠き部
33  メダル落下口                34  取り付け板
35  位置調節ネジ                36  排出開口
37  貯留箱収納部
40  メダル送り装置              41  本体ブロック
42  払い出し通路                43  移動調整弁
44  メダル貯め部                45  メダル戻り部
46  メダル検知センサ            47  メダル排出部
48  受入開口                    49  リセット開口
50  搬送装置                    51  ローラ
52  逆転ローラ                  53  搬送ベルト
54  送出間隙                    55  駆動モータ（駆動装置）
56  伝達手段
60  メダル移送ブロック(移送部材)61  メダル受け部
62  メダル移送部                63  メダル受け口
64  メダル排出口
70  作動制御スイッチ            71  タッチセンサ（接触センサ）
72  リセットスイッチ            73  投入センサ
80  排出機構                    81  ソレノイド
82  開閉板                      90  排出貯留箱
Ｂ  仕切棒
【図１】
2006000368.tif 000003
【図２】
2006000368.tif 000004
【図３】
2006000368.tif 000005
【図４】
2006000368.tif 000006
【図５】
2006000368.tif 000007
【図６】
2006000368.tif 000008
【図７】
2006000368.tif 000009
【図８】
2006000368.tif 000010
【図９】
2006000368.tif 000011
【図１０】
2006000368.tif 000012